(57)【特許請求の範囲】
【請求項１】
ベースパネルと、上記ベースパネルの左側端に沿って配置される左サイドパネルと、上記ベースパネルの右側端に沿って配置される右サイドパネルと、上記左サイドパネルの前端と上記右サイドパネルの前端の間に掛け渡されるフロントビームと、上記左サイドパネルの後端と上記右サイドパネルの後端の間に掛け渡されるリアビームとを含む筐体を有し、上記筐体の内部が、上記フロントビームおよびリアビームを含む平面を境にして、下部が熱交換器および圧縮機を有する機械室、上部が送風機を有する送風機室に区画されており、上記筐体の天面には上記送風機の空気吹出口が設けられている空気調和機の室外機において、
上記ベースパネルの前端と上記フロントビームとの間には上記フロントビームの中間部分を支えるフロントピラーが設けられており、上記左サイドパネルの前端または上記右サイドパネルの前端のいずれか一方と上記フロントピラーとの間にはセンタービーム組が掛け渡されていて、上記フロントビームと上記センタービーム組との間の空間には、電装品箱が上記センタービーム組の上に配置されて収納されており、上記センタービーム組はセンタービーム本体と補強プレートとを有し、上記センタービーム本体は、上記電装品箱が載置される載置板と、上記載置板の前端から下方に向かって垂直に延在し、上記筐体との係止手段を備えた係止板と、上記係止板の下端から上記載置板と同方向かつ平行に延在する支持板とを有する断面コ字状を呈し、上記補強プレートは上記載置板の底面と上記係止板の背面とを支持することを特徴とする空気調和機の室外機。
【請求項２】
ベースパネルと、上記ベースパネルの左側端に沿って配置される左サイドパネルと、上記ベースパネルの右側端に沿って配置される右サイドパネルと、上記左サイドパネルの前端と上記右サイドパネルの前端の間に掛け渡されるフロントビームと、上記左サイドパネルの後端と上記右サイドパネルの後端の間に掛け渡されるリアビームとを含む筐体を有し、上記筐体の内部が、上記フロントビームおよびリアビームを含む平面を境にして、下部が熱交換器および圧縮機を有する機械室、上部が送風機を有する送風機室に区画されており、上記筐体の天面には上記送風機の空気吹出口が設けられている空気調和機の室外機において、
上記ベースパネルの前端と上記フロントビームとの間には上記フロントビームの中間部分を支えるフロントピラーが設けられており、上記フロントピラーは、上記左サイドパネルの前端に係止される左フロントピラーと、上記右サイドパネルの前端に係止される右フロントピラーとを有し、上記センタービーム組は上記左フロントピラーと上記右フロントピラーの間に掛け渡されており、上記フロントビームと上記センタービーム組との間の空間には、電装品箱が上記センタービーム組の上に配置されて収納されており、上記センタービーム組はセンタービーム本体と補強プレートとを有し、上記センタービーム本体は、上記電装品箱が載置される載置板と、上記載置板の前端から下方に向かって垂直に延在し、上記筐体との係止手段を備えた係止板と、上記係止板の下端から上記載置板と同方向かつ平行に延在する支持板とを有する断面コ字状を呈し、上記補強プレートは上記載置板の底面と上記係止板の背面とを支持することを特徴とする空気調和機の室外機。
【請求項３】
上記補強プレートは、上記センタービーム本体の端部を閉塞する蓋板と、上記蓋板の上辺から上記載置板の底面に沿って当接する第１フランジと、上記蓋板の前辺から上記係止板の裏面に沿って当接する第２フランジと、上記蓋板の下辺から上記支持板の上面に沿って当接する第３フランジとを有することを特徴とする請求項１または２に記載の空気調和機の室外機
【請求項４】
上記載置板の自由端から上記係止板に至るまでの長さをＬ１，上記支持板の自由端から上記係止板に至るまでの長さをＬ２としたとき、上記センタービーム本体は、Ｌ１＞Ｌ２を満足するように形成されており、上記蓋板を正面に見て、上記蓋板の下辺が上記載置板の自由端側から上記係止板の自由端側に向かって下り傾斜となるように切り欠かれていることを特徴とする請求項３に記載の空気調和機の室外機。
【請求項５】
上記下り傾斜となる傾斜辺には、上記蓋板の機械的強度を高める補強リブが設けられていることを特徴とする請求項４に記載の空気調和機の室外機。
【発明の詳細な説明】
【技術分野】
【０００１】
本発明は、空気調和機の室外機に関し、さらに詳しく言えば、熱交換器および圧縮機を有する機械室の上部に送風機室が配置されている上吹出型の室外機に関する。
【背景技術】
【０００２】
空気調和機の１つとして、１台の室外機に複数台の室内機が接続されるマルチタイプの空気調和機がある。例えば特許文献１（特に図１および図２参照）に記載されているように、マルチタイプの空気調和機の室外機は直方体状の筐体を有し、筐体の前面に上下２分割されたアクセスパネルを備えている。
【０００３】
アクセスパネルを取り外すことにより、筐体の前面がメンテナンス用として開放され、その開放面に電装品箱が収納されている。
【０００４】
特許文献１において、電装品箱は、右側面側がヒンジ手段を介して右側のサイドパネルに開閉可能に取り付けられており、電装品箱の上端に設けられたハンガー部をフロントビームに引っ掛けることにより、筐体に吊り持ち保持されるようになっている。
【０００５】
しかしながら、電装品箱には、電源回路用のリアクタなどが搭載されているため、数キロから数十キロと重く、メンテナンス時や運搬時、設置時にヒンジ部やハンガー部に局所的な荷重が加わると、変形や破損することがあった。
【先行技術文献】
【特許文献】
【０００６】
【特許文献１】特開２０１０−１２１８５９号公報
【発明の概要】
【発明が解決しようとする課題】
【０００７】
そこで、本発明の課題は、電装品箱の荷重を筐体で受け止めて、電装品箱の荷重による変形や破損を防止することができる空気調和機の室外機を提供することにある。
【課題を解決するための手段】
【０００８】
上述した課題を解決するため、本発明は、ベースパネルと、上記ベースパネルの左側端に沿って配置される左サイドパネルと、上記ベースパネルの右側端に沿って配置される右サイドパネルと、上記左サイドパネルの前端と上記右サイドパネルの前端の間に掛け渡されるフロントビームと、上記左サイドパネルの後端と上記右サイドパネルの後端の間に掛け渡されるリアビームとを含む筐体を有し、上記筐体の内部が、上記フロントビームおよびリアビームを含む平面を境にして、下部が熱交換器および圧縮機を有する機械室、上部が送風機を有する送風機室に区画されており、上記筐体の天面には上記送風機の空気吹出口が設けられている空気調和機の室外機において、上記ベースパネルの前端と上記フロントビームとの間には上記フロントビームの中間部分を支えるフロントピラーが設けられており、上記左サイドパネルの前端または上記右サイドパネルの前端のいずれか一方と上記フロントピラーとの間にはセンタービーム組が掛け渡されていて、上記フロントビームと上記センタービーム組との間の空間には、電装品箱が上記センタービーム組の上に配置されて収納されており、上記センタービーム組はセンタービーム本体と補強プレートとを有し、上記センタービーム本体は、上記電装品箱が載置される載置板と、上記載置板の前端から下方に向かって垂直に延在し、上記筐体との係止手段を備えた係止板と、上記係止板の下端から上記載置板と同方向かつ平行に延在する支持板とを有する断面コ字状を呈し、上記補強プレートは上記載置板の底面と上記係止板の背面とを支持することを特徴としている。
【０００９】
本発明には、次のような態様も含まれる。すなわち、ベースパネルと、上記ベースパネルの左側端に沿って配置される左サイドパネルと、上記ベースパネルの右側端に沿って配置される右サイドパネルと、上記左サイドパネルの前端と上記右サイドパネルの前端の間に掛け渡されるフロントビームと、上記左サイドパネルの後端と上記右サイドパネルの後端の間に掛け渡されるリアビームとを含む筐体を有し、上記筐体の内部が、上記フロントビームおよびリアビームを含む平面を境にして、下部が熱交換器および圧縮機を有する機械室、上部が送風機を有する送風機室に区画されており、上記筐体の天面には上記送風機の空気吹出口が設けられている空気調和機の室外機において、上記ベースパネルの前端と上記フロントビームとの間には上記フロントビームの中間部分を支えるフロントピラーが設けられており、上記フロントピラーは、上記左サイドパネルの前端に係止される左フロントピラーと、上記右サイドパネルの前端に係止される右フロントピラーとを有し、上記センタービーム組は上記左フロントピラーと上記右フロントピラーの間に掛け渡されており、上記フロントビームと上記センタービーム組との間の空間には、電装品箱が上記センタービーム組の上に配置されて収納されており、上記センタービーム組はセンタービーム本体と補強プレートとを有し、上記センタービーム本体は、上記電装品箱が載置される載置板と、上記載置板の前端から下方に向かって垂直に延在し、上記筐体との係止手段を備えた係止板と、上記係止板の下端から上記載置板と同方向かつ平行に延在する支持板とを有する断面コ字状を呈し、上記補強プレートは上記載置板の底面と上記係止板の背面とを支持することを特徴としている。
【００１０】
より好ましい態様として、上記補強プレートは、上記センタービーム本体の端部を閉塞する蓋板と、上記蓋板の上辺から上記載置板の底面に沿って当接する第１フランジと、上記蓋板の前辺から上記係止板の裏面に沿って当接する第２フランジと、上記蓋板の下辺から上記支持板の上面に沿って当接する第３フランジとを有することを特徴としている。
【００１１】
さらに好ましい態様として、上記載置板の自由端から上記係止板に至るまでの長さをＬ１，上記支持板の自由端から上記係止板に至るまでの長さをＬ２としたとき、上記センタービーム本体は、Ｌ１＞Ｌ２を満足するように形成されており、上記蓋板を正面に見て、上記蓋板の下辺が上記載置板の自由端側から上記係止板の自由端側に向かって下り傾斜となるように切り欠かれている。
【００１２】
さらに好ましい態様として、上記下り傾斜となる傾斜辺には、上記蓋板の機械的強度を高める補強リブが設けられている。
【発明の効果】
【００１３】
本発明によれば、電装品箱の荷重をセンタービーム組で受け止めてからサイドパネルとセンタービーム組に均等に逃がすことで、筐体で受け止め、筐体が変形したり破損したりすることを防止することができる。
【図面の簡単な説明】
【００１４】
【図１】本発明の一実施形態に係る空気調和機の室外機のサービスパネルを外した状態の分解斜視図。
【図２】図１の空気調和機の室外機の正面図。
【図３】図１の空気調和機の室外機から電装品箱を取り外した状態の分解斜視図。
【図４】筐体内に取り付けられた電装品箱を背面側から見た状態の斜視図。
【図５】センタービーム組の正面側の分解斜視図。
【図６】図５のＡ−Ａ線断面図。
【図７】補強パネルの（ａ）右側面側斜視図および（ｂ）左側面側斜視図。
【図８】フロントピラーの変形例を説明する説明図。
【発明を実施するための形態】
【００１５】
次に、本発明の実施形態について図面を参照しながら説明するが、本発明はこれに限定されるものではない。
【００１６】
図１ないし図３に示すように、この空気調和機の室外機１は、左右方向（図１の左右方向）に横長な直方体形状の筐体２を有し、筐体２の内部が熱交換器３および圧縮機等（図示しない）を有する機械室ＭＣと、送風機１２を有する送風機室ＦＣとに区画されている。この実施形態において、機械室ＭＣは筐体２内の下部に配置されており、機械室ＭＣの上方に送風機室ＦＣが配置されている。なお、以下の説明において、図１の座標に沿って方向を指示する。
【００１７】
筐体２は、基本的な構造として、底面となる長方形状のベースパネル２０と、ベースパネル２０の左側端に立設される左サイドパネル２１Ｌと、ベースパネル２０の右側端に立設される右サイドパネル２１Ｒと、左サイドパネル２１Ｌの前端と右サイドパネル２１Ｒの前端との間に掛け渡されるフロントビーム２２Ｆ（図４参照）と、左サイドパネル２１Ｌの後端と右サイドパネル２１Ｒの後端との間に掛け渡されるリアビーム２２Ｒ（図８参照）とを備えている。筐体２の天面には、送風機１２の空気吹出口１１を有する天面パネル２３が設けられている。
【００１８】
この実施形態において、フロントビーム２２Ｆおよびリアビーム２２Ｒは、筐体２の機械室ＭＣと送風機室ＦＣとの境界に沿って配置されており、フロントビーム２２Ｆおよびリアビーム２２Ｒは同一平面上で互いに平行、かつ、ベースパネル２０とも平行となるように配置されている。
【００１９】
次に、左サイドパネル２１Ｌおよび右サイドパネル２１Ｒについて説明するが、左サイドパネル２１Ｌおよび右サイドパネル２１Ｒは基本的な形状は同じであり、それらが左右対称に配置されているため、以下においては右サイドパネル２１Ｒについて説明する。
【００２０】
この実施形態において、右サイドパネル２１Ｒは、金属板をプレス成形したものからなり、その幅はベースパネル２０の右端の長さとほぼ同じであって、筐体２の下端から上端に至る縦長な長方形状に形成されている。
【００２１】
右サイドパネル２１Ｒは、ベースパネル２０の角部に係合する一対の支柱部２１１Ｒ，２１１Ｒを有し、支柱部２１１Ｒ，２１１Ｒの間には、熱交換器３の右側面部を保護するとともに、側面吸込グリルとしてのグリル部２１２と、送風機室ＦＣの右側面を塞ぐパネル部２１３とが形成されている。
【００２２】
支柱部２１１Ｒ，２１１Ｒの下端は筐体２の脚部としての機能も兼ねるため、右サイドパネル２１Ｒの下端から突出している。グリル部２１２は、機械室ＭＣの右側面に対応する部分が格子状に開口されており、グリル部２１２を介して熱交換器３が外部に露出するようになっている。パネル部２１３は、送風機室ＦＣの右側面を閉塞するパネル面である。
【００２３】
ベースパネル２０の前端とフロントビーム２２Ｆとの間には、フロントビーム２２Ｆの中間部分を支えるフロントピラー２４が設けられている。フロントピラー２４は、例えば１枚の鋼板をプレス成型したものからなり、縦長な長方形状に形成されている。
【００２４】
この実施形態において、フロントピラー２４は、金属板をプレス成形したものからなり、熱交換器３の前面部の一部を保護しつつ、熱交換器３の前面側を筐体外に露出させる前面吸込グリルとしてのグリル部２４１を備えている。この実施形態において、グリル部２４１は四角く切り抜かれた貫通孔が上下に８箇所並んでいる。
【００２５】
フロントピラー２４は、上端がフロントビーム２２Ｆにネジ止めされ、下端がベースパネル２０にネジ止めされ、さらに右端が右サイドパネル２１Ｒの支柱部２１１Ｒにネジ止めされている。これにより、後述するセンタービーム組４に係る荷重を支持することができるようになっている。
【００２６】
フロントピラー２４の左端（図２では左端）には、後述するセンタービーム組４および電装品箱７の右端側を固定するための係止部２４２が設けられている。係止部２４２は、フロントピラー２４の左端の上下に沿って連続したフランジ状を呈し、中央にはセンタービーム組４の係止フック５２２が引っ掛けられるフック孔２４３が設けられている。フック孔２４３を挟んで上下には、センタービーム組４をフック孔２４３に引っ掛けた状態でさらにネジ止めするためのネジ止め孔２４４，２４４が設けられている。係止部２４２にはさらに、電装品箱７の固定ステー７４をネジ止めするネジ止め孔２４５が設けられている。
【００２７】
左サイドパネル２１Ｌの支柱部２１１Ｌには、センタービーム組４および電装品箱７の左端側を固定するための係止部２１４が設けられている。係止部２１４は、支柱２１１Ｌの右端の上下に沿って連続したフランジ状を呈し、中央にはセンタービーム組４の係止フック５２２が引っ掛けられるフック孔２１５が設けられている。
【００２８】
フック孔２１５を挟んで上下には、センタービーム組４をフック孔２１５に引っ掛けた状態でさらにネジ止めするためのネジ止め孔２１６，２１６が設けられている。係止部２１４にはさらに、電装品箱７の固定ステー７４をネジ止めするネジ止め孔２１７が設けられている。
【００２９】
この実施形態において、筐体２の左サイドパネル２１Ｌとフロントピラー２４との間がメンテナンス用の前面開口部２Ａとなっていて、この前面開口部２Ａを塞ぐようにサービスパネル２５が取り付けられている。
【００３０】
この実施形態において、フロントピラー２４は、右サイドパネル２１Ｒ側に取り付けられているが、左サイドパネル２１Ｌ側に設けられていてもよい。さらに、図８に示すように、筐体２が左右方向に長い横長タイプの場合は、左サイドパネル２１Ｌに左フロントピラー２４Ｌを取り付け、右サイドパネル２１Ｒに右フロントピラー２４Ｒを取り付け、左フロントピラー２４Ｌと右フロントピラー２４Ｒの間にセンタービーム組４を架け渡してもよい。その場合、上述した係止部２１４，２４２は、左フロントピラー２４Ｌの右端側（係止部２４２Ｌ）と、右フロントピラー２４Ｒの左端側（係止部２４２Ｒ）にそれぞれ設けられる。
【００３１】
図１に示すように、サービスパネル２５は、前面開口部２Ａの上半分を閉塞する上サービスパネル２５１と、下半分を閉塞する下サービスパネル２５２の２枚のパネルを有し、それらが個別に着脱可能にネジ止めされている。
【００３２】
筐体２の送風機室ＦＣの前面側には、フロントパネル２６が配置されており、送風機室ＦＣの背面側には、リアパネル（図示しない）が配置されている。フロントパネル２６およびリアパネルはともに、送風機室ＦＣの前面側および背面側を覆う横長な長方形状の金属パネルであり、それぞれ右サイドパネル２１Ｒの支柱部２１１Ｒと左サイドパネル２１Ｌの支柱部２１１Ｌとフロントビーム２２Ｆおよびリアビーム２２Ｒにネジ止めされている。
【００３３】
次に、左サイドパネル２１Ｌの前端側とフロントピラー２４との間には、電装品箱７が載置されるセンタービーム組４が掛け渡されている。図４〜７を参照して、この実施形態において、センタービーム組４は、センタービーム本体５と、補強プレート６とを備えている。センタービーム本体５は、１枚の鋼板をプレス成型したものからなり、電装品箱７が載置される載置板５１と、載置板５１の前端５１１から下方に向かって垂直に延在する係止板５２と、係止板５２の下端５２１から載置板５１と同方向かつ平行に延在する支持板５３とを有する断面コ字状に形成されている。
【００３４】
載置板５１は、センタービーム本体５の左右方向に沿って延在する載置面５１２を有する長方形状を呈し、左右両端（図５の左右両端）には、後述する補強プレート６をネジ止めするネジ止め孔５１３が例えば２箇所ずつ、合計４箇所設けられている。
【００３５】
載置板５１は、機械室ＭＣ側を自由端５１０側とし、自由端５１０側から前端５１１に至るまでの奥行き（図６のＬ１）が、左右方向の両端側が長く、中央部分が両端側よりも短くなるように形成されている。これにより、係止板５２の中央部（図６では左側面側）がくびれたようになり、ケーブル挿通部５４が形成される。
【００３６】
係止板５２は、載置板５１の前端５１１の形状に合わせて形成され、載置板５１の前端５１１から下方に向かって垂直に延在している。係止部５２の左右両端部には、センタービーム組４を左サイドパネル２１Ｌの係止部２１４のフック孔２１５とフロントピラー２４の係止部２４２のフック孔２４３とに係止する係止手段としての係止フック５２２が左右１箇所ずつ、合計２箇所設けられている。
【００３７】
また、係止板５２の左右両端部にはさらに、係止板５２を筐体２のネジ止め孔２１６、２４４にネジ止めするためのネジ止め孔５２３が、係止フック５２２を挟んで上下に１つずつ、左右合わせて４箇所設けられている。ネジ止め孔５２３は補強プレート６のネジ止め孔も兼ねている。
【００３８】
係止板５２にはさらに、ケーブル挿通部５４の形状に合わせて載置板５１をくびれさせるための段差部５２４，５２４が左右に設けられている。これによれば、係止板５２の中央部分が機械室ＭＣ側に向かって凹むように形成され、その凹部をケーブル挿通部５４として機械室ＭＣから電装品箱６に接続された各種ケーブルなどを配線することができる。さらには、係止板５２の一部をくびれさせることにより、センタービーム本体５のねじれ剛性が高くなり、機械的強度を高めることができる。
【００３９】
支持板５３は、センタービーム組４の機械的強度を高める補強板であって、左右に連続して等幅で形成されている。ここで、載置板５１の前端５１１から自由端５１０までの長さＬ１に対し、係止板５２の下端（支持板５３の前端でもある）５２１から支持板５３の自由端５３０に至るまでの長さをＬ２としたとき、センタービーム本体５はＬ１＞Ｌ２を満足するような断面コ字状に形成されている。
【００４０】
次に、センタービーム本体５の左端部５０Ｌおよび右端部５０Ｒには補強プレート６，６が取り付けられている。補強プレート６，６は同一形状であって、それらを左右で共用している。以下においては、いずれか一方の補強プレート６について説明する。
【００４１】
図７に示すように、この実施形態において、補強プレート６は、１枚の鋼板をプレス成型した立体形状物であって、センタービーム組４の左端部５０Ｌおよび右端部５０Ｒのそれぞれの開口内に差し込まれるようになっている。
【００４２】
補強プレート６は、センタービーム本体５の左端部５０Ｌ，右端部５０Ｒを閉塞する蓋板６１と、蓋板６１の上辺６１１からほぼ直角に折り曲げられ、載置板５１の底面５１４に沿って当接する第１フランジ６２と、蓋板６１の前辺６１２から第１フランジ６２と同方向にほぼ直角に折り曲げられ、係止板５２の裏面５２５に沿って当接する第２フランジ６３と、蓋板６１の下辺６１３から第１フランジ６２と同方向にほぼ直角に折り曲げられ、支持板５３の上面５３１に沿って当接する第３フランジ６４とを備えている。
【００４３】
蓋板６１は、蓋板６１を正面に見て、上辺６１１と下辺６１３が平行な台形状であって、上辺６１１と前辺６１２が直交し、前辺６１２と後辺６１５が直交している。下辺６１３と後辺６１５の間には、後辺６１５側から前辺６１２に向かって下り傾斜となる傾斜辺６１４が形成されている。第１フランジ６２は、蓋板６１の上辺６１１に沿って等幅のフランジであり、載置板５１のネジ止め孔５１３とともにネジ止めされるネジ止め孔６２１が２箇所設けられている。
【００４４】
第２フランジ６３は、蓋板６１の前辺６１２に沿って形成された第１フランジ６２と等幅のフランジであり、係止板５２のネジ止め孔５２３とともにネジ止めされるネジ止め孔６３１が２箇所設けられている。この実施形態において、第２フランジ６３は、上下両端が前辺６１２の長さよりも長く形成されており、上端部６３２が第１フランジ６２の内側に当接するように折り曲げられて溶接され、下端部６３３が第３フランジ６４の内側に重なるように折り曲げられて溶接されている。
【００４５】
これによれば、上端部６３２が第１フランジ６２を補強し、下端部６３３が第３フランジ６４を補強する。
【００４６】
この例において、各ネジ止め孔５１３，６２１（５２３，６３１）は、いわゆるタッピングネジによってネジ止めされるため、ネジ止めと同時にねじ山が形成されるが、予め雌ネジ山を形成してもよい。
【００４７】
第３フランジ６４は、蓋板６１の下辺６１３から延設された舌片であって、第２フランジ６３の下端部６３３に重なるように折り曲げられている。蓋板６１の後辺６１５（前辺６１２に対向する辺）には、第５フランジ６６が設けられている。第５フランジ６６は、後述する傾斜辺６１４の先端側の形状に合わせて短く形成されている。
【００４８】
蓋板６１の後辺６１５と下辺６１３の各端部とを結ぶ辺６１４は、後辺６１５（載置板５１の自由端５１０側）から下辺６１３（係止板５２の自由端５３０側）に向かって下り傾斜となる傾斜辺であって、傾斜辺６１４には、蓋板６１の機械的強度を高める第４フランジ６５が設けられている。第４フランジ６５は、傾斜辺６１４の両端に渡って連続して形成された第１フランジ６２と等幅のフランジで、第１〜第３フランジ６２〜６４と同じ方向にほぼ直角に折り曲げられている。
【００４９】
このように、蓋板６１の下部が前辺６１２に向かって下がり傾斜状に形成されていることにより、電装品箱７をセンタービーム組４の上に載せた際、センタービーム本体５の自由端５１０側に係る荷重を補強プレート６が受けると、荷重はそのまま下方にかかるのではなく、傾斜辺６１４に沿って係止板５２側に伝達され、係止板５２を支えている左サイドパネル２１Ｌとフロントピラー２４に伝わり、左サイドパネル２１Ｌとフロントピラー２４からベースパネル２０にかかり、支柱部２１１Ｌ、２１１Ｒから設置面に逃げるため、センタービーム組４に局所的な荷重がかからない。
【００５０】
センタービーム本体５を構成する鋼板の板厚をＴ１，補強プレート６を構成する鋼板の板厚をＴ２としたとき、補強プレート６は、その板厚Ｔ２がＴ２＞３×Ｔ１を満足するものが用いられている。この実施形態において、センタービーム本体５の板厚をＴ１は１．０ｍｍであるから、補強プレート６を構成する金属板の板厚をＴ２を３．２ｍｍとしている。
【００５１】
このように、補強プレート６の板厚Ｔ２をセンタービーム本体５の板厚Ｔ１より厚くすることにより、センタービーム本体５の板厚を増すことなく、センタービーム組４の機械的強度を高めることができ、その結果、コストを抑えて効率的に生産することができる。
【００５２】
図５に示すように、この実施形態においては、部品点数を増やすことなく同一形状の２つの補強プレート６，６を左右で共用しているため、センタービーム本体５の左端部５０Ｌに取り付けられる補強プレート６の蓋板６１は、センタービーム本体５の左端部５０Ｌより内側に入り込むように取り付けられる。他方の右端部５０Ｒの補強プレート６の蓋板６１は、センタービーム本体５の右端部５０Ｒと同一平面となるように取り付けられている。
【００５３】
なお、補強プレート６，６をそれぞれ左側用と右側用に対称となる形状に個別に形成しておき、各蓋板６１，６１がセンタービーム本体５の左右両端５０Ｌ，５０Ｒと同一平面となるように取り付けてもよい。
【００５４】
図３および図４を参照して、筐体２の前部開口部２Ａのフロントビーム２２Ｆとセンタービーム組４との間の空間には電装品箱７が収納されている。電装品箱７は、内部に図示しない各種電装品が収納される箱本体７１と、箱本体７１を塞ぐ蓋部材７２とを備え、その荷重がセンタービーム組４にかけられている。
【００５５】
箱本体７１は、フロントビーム２２Ｆ、左サイドパネル２１Ｌ、センタービーム組４およびフロントピラー２４とで囲まれた四角形の空間に配置可能な金属製の箱体であって、その内部には発熱部品があり、その発熱部品を冷却するためのヒートシンク７３が背面に搭載されている。箱本体７１の底面は、センタービーム組４の載置板５１の上に載置できるように水平面とされている。
【００５６】
箱本体７１の左右の両側面には、電装品箱７を筐体２に固定するための固定ステー７４，７４が設けられている。固定ステー７４は、一方の片が箱本体７１の側面に沿ってネジ止めされ、他方の片が箱本体７１の両側面から垂直に立設されたＬ型ステーであって、サイドパネル２１Ｌの支柱２１１の係止部２１４とフロントピラー２４の係止部２４２にネジ止めされる。蓋部材７２は、箱本体７１の開口部を覆う正方形状の金属パネルであって、箱本体７２にネジ止めされている。
【００５７】
電装品箱７を筐体２に取り付けるに当たっては、電装品箱７を持ち上げてセンタービーム組４の載置板５１の上に載せ、固定ステー７４が左サイドパネル２１Ｌとフロントピラー２４に当接する位置まで奥に押し込んだのちネジ止めする。
【００５８】
こうすることにより、電装品箱７の荷重がセンタービーム組４にかかり、さらにその荷重がセンタービーム組４の左右両端に固定されるサイドパネル２１Ｌとフロントピラー２４とに逃げることで、電装品箱７の荷重を筐体２で受け止めることができる。
【００５９】
この実施形態において、電装品箱７は左右の固定ステー７４，７４によってネジ止めされているが、例えばヒンジ手段を用いた開閉式としてもよく、センタービーム組４によって電装品箱７の荷重を受けるサイドパネル２１Ｌとフロントピラー２４により逃がす構造を備えていれば、電装品箱７の筐体２への取付方法は任意に選択されてよい。
【００６０】
また、この実施形態において、センタービーム組４は左サイドパネルの前端とフロントピラー２４との間に架け渡されているが、フロントピラー２４の位置によっては、右サイドパネルの前端とフロントピラー２４との間に架け渡されていてもよい。さらには、図８に示すように、左フロントピラー２４Ｌと右フロントピラー２４Ｒの間に架け渡されてもよい。
【００６１】
以上説明したように、本発明によれば、ベースパネル２０の前端とフロントビーム２２Ｆとの間にフロントビーム２２Ｆの中間部分を支えるフロントピラー２４が設けられ、左サイドパネル２１Ｌの前端とフロントピラー２４との間にセンタービーム組４を掛け渡し、フロントビーム２２Ｆとセンタービーム組４との間の空間に電装品箱７をセンタービーム組４の上に荷重が載るように収納することで、電装品箱７の荷重をセンタービーム組４で受け止めてから左サイドパネル２１Ｌとフロントピラー２４に均等に逃がすことで、筐体２で荷重を受け止め、筐体２が変形したり破損したりすることを防止することができる。
【符号の説明】
【００６２】
１  空気調和機の室外機
１１  空気吹出口
１２  送風機
２  筐体
２Ａ  前面開口部
２０  ベースパネル
２１Ｌ  左サイドパネル
２１Ｒ  右サイドパネル
２２Ｆ  フロントビーム
２３  天面パネル
２４  フロントピラー
２５  サービスパネル
２６  フロントパネル
３  熱交換器
４  センタービーム組
５  センタービーム本体
５１  載置板
５１０  自由端
５２  係止板
５３  支持板
５３０  自由端
６  補強プレート
６１  蓋板
６１４  傾斜辺
６２  第１フランジ
６３  第２フランジ
６４  第３フランジ
６５  第４フランジ
６６  第５フランジ
７  電装品箱
７１  箱本体
【図１】
0006697180.tif 000002
【図２】
0006697180.tif 000003
【図３】
0006697180.tif 000004
【図４】
0006697180.tif 000005
【図５】
0006697180.tif 000006
【図６】
0006697180.tif 000007
【図７】
0006697180.tif 000008
【図８】
0006697180.tif 000009